(57)【要約】【課題】  記入用紙に記入する内容を記入者が間違えないで記入することが出来ると共に、記入者の筆跡を記入欄に残して、問題が発生した場合でも、本人自身が申し込みや発注をしたか否かを筆跡で確認できるようにした記入用紙を提供する。【解決手段】  記入者が記入すべき内容が、予め記入欄に印字された記入用紙であって、前記印字が、該印字の上から記入者により筆記された際に、該筆記の内容を確認可能な状態で印字され、前記印字が、該印字の文字を構成する実線の複数部分で、穴抜けされた状態で表示されていたり、濃度の薄い色により構成されている。【選択図】        図１
2007160763.tif 000002
【特許請求の範囲】
【請求項１】
記入者が記入すべき内容が、予め記入欄に印字された記入用紙であって、
前記印字が、該印字の上から記入者により筆記された際に、該筆記の内容を確認可能な状態で印字されていることを特徴とする記入用紙。
【請求項２】
前記記入欄が、記入者の個人情報を記入するための記入欄であることを特徴とする請求項１記載の記入用紙。
【請求項３】
前記印字が、該印字の文字を構成する実線の複数部分で、穴抜けされた状態で表示されていることを特徴とする請求項１又は請求項２に記載の記入用紙。
【請求項４】
前記印字が、濃度の薄い色により構成されていることを特徴とする請求項１乃至請求項３に記載の記入用紙。
【発明の詳細な説明】
【技術分野】
【０００１】
本発明は、記入者が記入すべき内容が、予め記入用紙の記入欄に印字されている記入用紙に関する。
【背景技術】
【０００２】
従来、申込や発注などの際には申込書や発注書などの記入用紙が使用されている。
そして、予め顧客の氏名や住所などの顧客情報が顧客情報データベースに登録されている場合には、それらの記入用紙に顧客が記入する際の手間を省くために、記入用紙の記入欄に、顧客情報データベースに登録されている個人情報を利用して、申込者や発注者の氏名や住所などを既にプリント出力させておき、顧客が申込や発注する際に申込内容や発注内容だけを記入すればすむようにしてある。
このような申込書は、既に知られている。（例えば、特許文献１又は２参照）
【０００３】
しかしながら、予め申込者や発注者の氏名や住所などをプリント出力させた場合には、申込者や発注者の筆跡が記入用紙に記載されないために、申込や発注をしたことの証拠が残せないという問題がある。
つまり、第三者が本人に黙って申し込みや発注をした場合でも、申込先や発注先において見分けがつかないと共に、申込者や発注者を特定する際の証拠として記入用紙に記入された内容が使用できにくいという問題がある。
【０００４】
しかしながら、その一方で、顧客が高齢者などの場合には、記入用紙に記入する際に、うっかり間違えた記入欄に記入してしまうこともあり、予め顧客の氏名や住所などが印字されていることは、記入位置の間違えを防止する意味でもよいことであるといえる。
【０００５】
【特許文献１】特開平６−２４７０８２号公報
【特許文献２】特開平８−１８３２７２号公報
【発明の開示】
【発明が解決しようとする課題】
【０００６】
本発明は、記入用紙に記入する内容を記入者が間違えないで記入することが出来ると共に、記入者の筆跡を記入欄に残して、問題が発生した場合でも、本人自身が申し込みや発注をしたか否かを筆跡で確認できるようにした記入用紙を提供する。
【課題を解決するための手段】
【０００７】
本発明の記入用紙は、記入者が記入すべき内容が、予め記入欄に印字された記入用紙であって、前記印字が、該印字の上から記入者により筆記された際に、該筆記の内容を確認可能な状態で印字されていることを特徴とする。
【０００８】
また、本発明の記入用紙は、前記記入欄が、記入者の個人情報を記入するための記入欄であることを特徴とする。
【０００９】
更に、本発明の記入用紙は、前記印字が、該印字の文字を構成する実線の複数部分で、穴抜けされた状態で表示されていることを特徴とする。
【００１０】
また、本発明の記入用紙は、前記印字が、濃度の薄い色により構成されていることを特徴とする。
【発明の効果】
【００１１】
本発明の記入用紙は、記入者が記入すべき内容が予め記入欄に印字され、その印字が、該印字の上から記入者により筆記された際に、筆記の内容を確認可能な状態で印字されているので、記入者が記入事項を見て確認しながら記入内容を間違えないで記入することができ、更に記入者の筆跡を記入欄に残すこともでき、後で問題が発生した場合でも、本人自身が申し込みや発注をしたか否かを記入用紙に記入された筆跡で確認できるという効果がある。
【００１２】
また、本発明の記入用紙は、記入欄が記入者の個人情報を記入するための記入欄であるので、申込者や発注者が記入用紙のどこに氏名や住所を記入すればよいのか直ぐに把握でき、記入位置を間違えないで記入することができるという効果がある。
【００１３】
更に、本発明の記入用紙は、予め記入欄に印字されている文字が、その文字を構成する実線の複数部分で、穴抜けされた状態で表示されているので、印字されている文字の上に重ねて筆記することで、間違えなく記入することができ、筆跡も記入用紙に残すことができるという効果がある。
【００１４】
また、本発明の記入用紙は、印字が、濃度の薄い色により構成されているので、記入者が記入欄に記入する場合でも、予め印字されている文字が邪魔にならないで、記入を行うことができるという効果がある。
【発明を実施するための最良の形態】
【００１５】
以下、本発明の実施形態に係る記入用紙を図面に基づいて詳細に説明する。
図１は、本発明の実施形態に係る記入用紙の平面図、図２は、本発明の実施形態に係る記入用紙に印字される文字の一例を示す図、図３は、本発明の実施形態に係る記入用紙に印字される文字の他の例を示す図である。
【００１６】
まず、本発明の実施形態に係る記入用紙１は、商品注文ハガキからなる記入用紙であり、商品の注文者である商品のお届先の名前と住所を記入するための、注文者の個人情報記入欄２と、注文商品の商品番号や注文数を記入する注文内容記入欄３とを有している。
このような商品注文ハガキからなる記入用紙１は、例えば通信販売などで過去に注文した実績のある消費者に対して、販売先から商品ＰＲ用の雑誌などと共に同封されて送られてくる場合が多い。
また、販売先において、注文者の顧客情報は顧客情報データベースに登録されることから、新規顧客でない場合には、販売先から商品ＰＲ用の雑誌などと共に同封する記入用紙の商品注文ハガキに、予め商品注文時に記入するべき名前４ａや住所４ｂなどの個人情報４をプリント出力して印字させておく。
【００１７】
つまり、注文者の個人情報記入欄２では、記入者である注文者が記入すべき内容が、予めその記入欄に印字されている。
そして、この記入用紙の個人情報記入欄２に予め印字されている印字は、その上から記入者により筆記された際に、該筆記の内容を確認可能な状態により印字されている。
図２には、個人情報記入欄２に予め印字されている印字の一例が示されているが、図２に示す印字では、印字の文字５を構成する実線の複数部分で、穴抜け６された状態で表示されている文字により、注文者が記入すべき氏名や住所などの個人情報が予め表示されている。
この印字の文字５は、実線の複数部分を穴抜け状態とすることで、利用者にその文字の内容が理解できる程度に表示されていればよく、個人情報記入欄２に必要事項を筆記する場合でも、筆記時の邪魔にならないように表示されていることが好ましい。
【００１８】
また、注文者が、個人情報記入欄２に筆記する際に、既に印字されている文字５を参考にして、その文字の上に重ねて筆記すれば、注文者の氏名や住所などの個人情報が記入できるようにするために、印字されている文字５の大きさも、筆記時の文字の大きさと同様の大きさの文字で印字しておくことが好ましい。
【００１９】
また、個人情報記入欄２に予め印字されている文字としては、図３に示すように、濃度の薄い色の文字や、また、薄い色の文字と共にドットの間隔の荒い印字の文字７などを用いてもよい。
濃度の薄い色の文字や、薄い色の文字と共にドットの間隔の荒い印字の文字などを用いて、個人情報記入欄２に予め記入する内容を表示させておくことで、記入者が個人情報記入欄２への記入時に、予め表示された内容と同じ内容を筆記することで、記入位置を間違えないで記入できるようにしてある。
特に、筆記された文字は、直筆であるので、特に本人が申し込んだか否かの検証を行う必要が生じた場合でも、証拠としても用いることができるという利点がある。
【００２０】
上記の実施形態においては、商品注文ハガキからなる記入用紙に関して説明したが、本発明の記入用紙は、これに限らず、種々の用途に使用する記入用紙に適応することができる。
本発明の記入用紙は、どのような用途に用いる記入用紙であっても、その記入用紙を記入する記入者が予め特定することができ、更にその特定された記入者の氏名、住所、郵便番号、電話番号、メールアドレス、会員番号、などの個人情報が、予めコンピュータのデータベースに登録されていて、その記入者がその記入用紙の記入欄に記入する必要がある事項を、データベースの登録情報から抽出して、記入用紙の記入欄に予め印字させておくことで、記入用紙がその記入者の手元に渡る際には、既に記入事項が印字されているようにしてある。
【００２１】
そして、記入用紙の記入欄に予め印字されている文字としては、図２に示すような、文字５を構成する実線の複数部分で穴抜け６された状態で表示されている文字や、図３に示すように、濃度の薄い色の文字や、また、薄い色の文字と共にドットの間隔の荒い印字の文字などを用いて表示され、記入者が記入するべき内容を記入時に確認することができ、また、予め印字されているそれらの文字の上から筆記することで、それらの筆記内容を目視で確認可能に表示させることができるようにしてある。
【００２２】
本発明の記入用紙は、上記のように、記入者が必ず記入すべき事項が予め印字されているので、記入位置を間違えないように記入できるようにしてあり、また、予め印字されている事項でも、記入欄に必ず直筆による記入をしてもらうので、申込者などの個人の筆跡を記入用紙に残せるようにしてある。
【図面の簡単な説明】
【００２３】
【図１】本発明の実施形態に係る記入用紙の平面図である。
【図２】本発明の実施形態に係る記入用紙に印字される文字の一例を示す図である。
【図３】本発明の実施形態に係る記入用紙に印字される文字の他の例を示す図である。
【符号の説明】
【００２４】
１  記入用紙
２  個人情報記入欄
３  注文内容記入欄
４  個人情報
４ａ  名前
４ｂ  住所
５，７  文字
【図１】
2007160763.tif 000003
【図２】
2007160763.tif 000004
【図３】
2007160763.tif 000005